(57)【要約】      （修正有）【課題】新たに増設した家庭用電気機器等の電力消費機器の消費電力も表示装置で表示できるホームマネージメントシステムを提供する。【解決手段】太陽光発電装置３０及び系統電源５０から供給された電力を消費する電力消費機器１０ａ〜１０ｆ，１１ａ〜１１ｃ，１４に通信ネットワーク３を介して接続され、電力消費機器１０ａ〜１０ｆ，１１ａ〜１１ｃ，１４を制御する表示装置４０を備えるホームマネージメントシステム１において、表示装置４０は、ソフトウェアによって、電力消費機器１０ａ〜１０ｆ，１１ａ〜１１ｃ，１４の消費電力と、太陽光発電装置３０及び系統電源５０の電力とを表示し、電力消費機器１５ｂ、１６，１７が増設された場合に、表示装置４０は、電力消費機器１０ａ〜１０ｆ，１１ａ〜１１ｃ，１４，１５ｂ、１６，１７の消費電力を表示可能とするアップデート用ソフトウェアによってソフトウェアをアップデートする。【選択図】図１
2014029290.tif 000002
【特許請求の範囲】
【請求項１】
太陽光発電装置及び系統電源から供給された電力を消費するとともに住宅に設けられた複数の電力消費機器に通信ネットワークを介して接続され、前記複数の電力消費機器を制御する表示装置を備えるホームマネージメントシステムにおいて、
この表示装置は、当該表示装置に記憶されているソフトウェアによって、前記複数の電力消費機器の消費電力と、前記太陽光発電装置の出力電力と、前記系統電源から順潮流した順潮流電力と、前記系統電源に逆潮流した逆潮流電力とを表示し、
前記住宅に新たな電力消費機器が増設された場合に、前記表示装置は、前記複数の電力消費機器及び前記新たな電力消費機器の消費電力を表示可能とするアップデート用ソフトウェアによって前記ソフトウェアをアップデートすることを特徴とするホームマネージメントシステム。
【請求項２】
請求項１に記載のホームマネージメントシステムにおいて、
前記表示装置は、前記複数の電力消費機器のうち何れかを制御するリモコンの操作画面と同一レイアウトの画面を表示することを特徴とするホームマネージメントシステム。
【請求項３】
請求項１または２に記載のホームマネージメントシステムにおいて、
前記表示装置は、住人が外出する際に操作する外出確認アイコンを表示し、
前記表示装置は、前記外出確認アイコンが選択された場合に前記複数の電力消費機器が消費する電力を、これら電力消費機器が設けられた複数のエリアごとに表示することを特徴とするホームマネージメントシステム。
【請求項４】
請求項３に記載のホームマネージメントシステムにおいて、
前記外出確認アイコンが選択された場合に、前記表示装置が外出アイコンを表示し、
前記外出アイコンが選択された場合に、前記表示装置が前記複数の電力消費機器のうち予め設定しておいた電力消費機器の動作を停止させることを特徴とするホームマネージメントシステム。
【請求項５】
請求項３または４に記載のホームマネージメントシステムにおいて、
開閉建具を施錠・解錠する電気錠が前記通信ネットワークを介して前記表示装置に接続され、
前記外出確認アイコンが選択された場合に、前記表示装置が前記電気錠の施錠・解錠状態を表示することを特徴とするホームマネージメントシステム。
【請求項６】
請求項１〜５のいずれか一項に記載のホームマネージメントシステムにおいて、
前記表示装置は外部のサーバーに接続可能であり、
通信端末がインターネットを介して前記サーバーに接続可能であり、
前記表示装置は、当該表示装置に表示された画面と同一レイアウトの画面又はその簡略画面を表示するためのデータを前記サーバーに送信可能であり、
前記通信端末は、前記サーバーに送信された前記データを前記インターネットを介して取得して、前記表示装置に表示された画面と同一の画面又はその簡略画面をそのデータにより表示可能であることを特徴とするホームマネージメントシステム。
【発明の詳細な説明】
【技術分野】
【０００１】
本発明は、宅内の電力消費機器を制御するホームマネージメントシステムに関する。
【背景技術】
【０００２】
特許文献１には、系統電源、太陽光発電装置、家庭用電気機器及び電気自動車の電力量を検出して、それらの検出電力量を表示する表示装置を備えたシステムが開示されている。
【先行技術文献】
【特許文献】
【０００３】
【特許文献１】特開２０１１−１６３８５８号公報
【発明の概要】
【発明が解決しようとする課題】
【０００４】
特許文献１のシステムでは、新たに家庭用電気機器を増設した場合、検出器等のハードウェアを増設すれば、増設した家庭用電気機器の電力量を検出することができるが、検出した電力量を表示装置で表示することができない。
そこで、本発明の目的は、新たに増設した家庭用電気機器等の電力消費機器の消費電力も表示装置で表示できるようにすることである。
【課題を解決するための手段】
【０００５】
上記課題を解決するための請求項１に係る発明は、例えば図１等に示すように、太陽光発電装置３０及び系統電源５０から供給された電力を消費するとともに住宅に設けられた複数の電力消費機器１０ａ〜１１ｆ，１１ａ〜１１ｃ，１４に通信ネットワーク３を介して接続され、前記複数の電力消費機器１０ａ〜１１ｆ，１１ａ〜１１ｃ，１４を制御する表示装置４０を備えるホームマネージメントシステム１において、この表示装置４０は、当該表示装置４０に記憶されているソフトウェアによって、前記複数の電力消費機器１０ａ〜１１ｆ，１１ａ〜１１ｃ，１４の消費電力と、前記太陽光発電装置３０の出力電力と、前記系統電源５０から順潮流した順潮流電力と、前記系統電源５０に逆潮流した逆潮流電力とを表示し、前記住宅に新たな電力消費機器１５ｂ，１６，１７が増設された場合に、前記表示装置４０は、前記複数の電力消費機器１０ａ〜１１ｆ，１１ａ〜１１ｃ，１４及び前記新たな電力消費機器１５ｂ，１６，１７の消費電力を表示可能とするアップデート用ソフトウェアによって前記ソフトウェアをアップデートすることを特徴とするホームマネージメントシステム１である。
【０００６】
請求項１に係る発明によれば、アップデート用ソフトウェアによって表示装置４０のソフトウェアがアップデートされるので、増設された新たな電力消費機器１５ｂ，１６，１７の消費電力が表示装置４０によって表示される。
【０００７】
請求項２に係る発明は、例えば図１に示すように、請求項１に記載のホームマネージメントシステム１において、前記表示装置４０は、前記複数の電力消費機器１０ａ〜１１ｆ，１１ａ〜１１ｃ，１４のうち何れかを制御するリモコン１１ｂ１の操作画面と同一レイアウトの画面を表示することを特徴とするホームマネージメントシステム１である。
【０００８】
請求項２に係る発明によれば、電力消費機器１１ｂのリモコン１１ｂ１の操作画面と同一レイアウトの画面が表示装置４０に表示されるので、住人がリモコンと表示装置４０を直感的に同じように操作することができ、利便性が向上する。
【０００９】
請求項３に係る発明は、例えば図１、図３及び図９等に示すように、請求項１または２に記載のホームマネージメントシステム１において、前記表示装置４０は、住人が外出する際に操作する外出確認アイコン１９７を表示し、前記表示装置４０は、前記外出確認アイコン１９７が選択された場合に前記複数の電力消費機器１０ａ〜１１ｆ，１１ａ〜１１ｃ，１４が消費する電力を、これら電力消費機器１０ａ〜１１ｆ，１１ａ〜１１ｃ，１４が設けられた複数のエリアごとに表示することを特徴とするホームマネージメントシステム１である。
【００１０】
請求項３に係る発明によれば、住人が外出の際に外出確認アイコン１９７を選択すれば、エリアごとの消費電力が表示装置４０によって表示されるから、電力消費機器１０ａ〜１１ｆ，１１ａ〜１１ｃ，１４のうち電源を着けっぱなしの電力消費機器があるエリアを認識することができる。つまり、電源オンとなった電力消費機器がどこにあるかを理解することができる。そのため、電源オンとなった電力消費機器があるエリアに行って、電力消費機器の電源をオフにしてから外出することができる。
【００１１】
請求項４に係る発明は、例えば図１、図３及び図９等に示すように、請求項３に記載のホームマネージメントシステム１において、前記外出確認アイコン１９７が選択された場合に、前記表示装置４０が外出アイコン１９５を表示し、前記外出アイコン１９５が選択された場合に、前記表示装置４０が前記複数の電力消費機器１０ａ〜１１ｆ，１１ａ〜１１ｃ，１４のうち予め設定しておいた電力消費機器の動作を停止させることを特徴とするホームマネージメントシステム１である。
【００１２】
請求項４に係る発明によれば、外出の際に表示装置４０を操作するだけで、複数の電力消費機器１０ａ〜１１ｆ，１１ａ〜１１ｃ，１４のうち動作している電力消費機器を停止させることができる。
【００１３】
請求項５に係る発明は、例えば図１、図３及び図９等に示すように、請求項３または４に記載のホームマネージメントシステム１において、開閉建具を施錠・解錠する電気錠１２ａ〜１２ｅが前記通信ネットワーク３を介して前記表示装置４０に接続され、前記外出確認アイコン１９７が選択された場合に、前記表示装置４０が前記電気錠１２ａ〜１２ｅの施錠・解錠状態を表示することを特徴とするホームマネージメントシステム１である。
【００１４】
請求項５に係る発明によれば、住人が外出の際に表示装置４０を見さえすれば、開閉建具の施錠・解錠状態を把握することができる。従って、戸締まりのし忘れを防止することができる。
【００１５】
請求項６に係る発明は、例えば図１に示すように、請求項１〜５のいずれか一項に記載のホームマネージメントシステム１において、前記表示装置４０は外部のサーバー６０に接続可能であり、通信端末６１がインターネットを介して前記サーバー６０に接続可能であり、前記表示装置４０は、当該表示装置４０に表示された画面と同一レイアウトの画面又はその簡略画面を表示するためのデータを前記サーバー６０に送信可能であり、前記通信端末６１は、前記サーバー６０に送信された前記データを前記インターネットを介して取得して、前記表示装置４０に表示された画面と同一の画面又はその簡略画面をそのデータにより表示可能であることを特徴とするホームマネージメントシステム１である。
【００１６】
請求項６に係る発明によれば、外出中の住人が通信端末６１によって表示装置４０の表示画面を確認することができる。また、表示装置４０から通信端末６１へのデータ送信がサーバー６０を介して行われるから、表示装置４０と通信端末６１の間で直接通信するよりも安全性が高い。
【発明の効果】
【００１７】
本発明によれば、新たな電力消費機器が増設されると、アップデート用ソフトウェアによって表示装置のソフトウェアがアップデートされて、新たな電力消費機器の消費電力が表示装置によって表示される。
【図面の簡単な説明】
【００１８】
【図１】ホームマネージメントシステムのブロック図である。
【図２】表示装置の斜視図である。
【図３】（ａ）がソフトウェアのアップデート前の表示装置の表示画面であり、（ｂ）がソフトウェアのアップデート後の表示装置の表示画面である。
【図４】（ａ）がソフトウェアのアップデート前の表示装置の表示画面であり、（ｂ）がソフトウェアのアップデート後の表示装置の表示画面である。
【図５】表示装置の表示画面である。
【図６】表示装置の表示画面である。
【図７】表示装置の表示画面である。
【図８】表示装置の表示画面である。
【図９】表示装置の表示画面である。
【図１０】表示装置の表示画面である。
【図１１】表示装置の表示画面である。
【図１２】表示装置の表示画面である。
【図１３】表示装置の表示画面である。
【図１４】表示装置の表示画面である。
【図１５】表示装置の表示画面である。
【図１６】表示装置の表示画面である。
【図１７】表示装置の表示画面である。
【図１８】表示装置の表示画面である。
【図１９】表示装置に表示される外出確認画面である。
【図２０】表示装置と通信する通信端末の表示画面である。
【図２１】ソフトウェアのアップデート後の表示装置の表示画面である。
【発明を実施するための形態】
【００１９】
以下に、本発明を実施するための形態について図面を用いて説明する。但し、以下に述べる実施形態には、本発明を実施するために技術的に好ましい種々の限定が付されているので、本発明の技術的範囲を以下の実施形態及び図示例に限定するものではない。
【００２０】
図１は、ホームマネージメントシステム１のブロック図である。ホームマネージメントシステム１は、住宅に設置されている。ホームマネージメントシステム１は、電気配線網２、通信ネットワーク３、分電盤２０及び表示装置４０等を備える。
【００２１】
電気配線網２及び通信ネットワーク３は、住宅に張り巡らされている。電気配線網２は複数の分岐回路に分けられている。図１において、矢印付きの実線は強電の電気配線網２を示し、矢印の向きに電力が供給される。また、矢印付きの破線は住宅に張り巡らされた弱電の通信ネットワーク３を示す。
【００２２】
分電盤２０は、買電用電力計（順潮流用電力計）及び売電用電力計（逆潮流用電力計）を介して系統電源５０に接続されている。系統電源５０は、電力会社の商用配電線網から供給される電源である。
【００２３】
分電盤２０は、パワーコンディショナーを介して太陽光発電装置３０に接続されている。太陽光発電装置３０は住宅の外（例えば、住宅の屋根の上）に設けられている。太陽光発電装置３０によって発電された直流の電力がパワーコンディショナーによって宅内用電圧の交流電力に変換されて、その交流電力が分電盤２０に供給される。
【００２４】
分電盤２０は電力潮流制御を行う。具体的には、分電盤２０は、太陽光発電装置３０から供給された電力を、電気配線網２を介して、住宅内又は住宅外の複数の電気機器に供給する。また、住宅内又は住宅外の複数の電気機器によって消費される総電力が太陽光発電装置３０から供給される電力を上回る場合には、分電盤２０が系統電源５０から買電電力を順潮流して、その買電電力を住宅の電気機器に供給する。一方、住宅内又は住宅外の複数の電気機器によって消費される総電力が太陽光発電装置３０から供給される電力を下回る場合には、分電盤２０が太陽光発電装置３０から供給された電力のうち余剰電力（売電電力）を系統電源５０へ逆潮流して、その余剰電力を系統電源５０に供給する。
【００２５】
住宅は、壁、床及び天井等によって複数のエリア（例えば、居間、台所、食堂、浴室、玄関、便所、寝室、和室、洋室、廊下、階段室、庭）Ａ〜Ｆに区画されている。図１において括弧書きで記すエリアＡ〜Ｆの種類は一例であり、エリアの数は幾つでもよく、住宅の間取りはどのようなものであってもよい。
【００２６】
住宅に設置された複数の電気機器について説明する。図１では、電気機器である電力消費機器１０ａ〜１０ｆ、電力消費機器１１ａ〜１１ｃ、電気錠１２ａ〜１２ｅ、コンセント１３ａ〜１３ｃ（具体的には、コンセント１３ａ〜１３ｃに接続された家庭用電気機器）、電力消費機器１４及び表示装置４０が住宅に設置されている。具体的には、電力消費機器１０ａ，１１ａ、電気錠１２ａ及びコンセント１３ａがエリアＡに、電力消費機器１０ｂ，１１ｂ、電気錠１２ｂ及びコンセント１３ｂがエリアＢに、電力消費機器１０ｃ，１１ｃ、電気錠１２ｃ及びコンセント１３ｃがエリアＣに、電力消費機器１０ｄ及び電気錠１２ｄがエリアＤに、電力消費機器１０ｅ及び電気錠１２ｅがエリアＥに、電力消費機器１０ｆがエリアＦに、電力消費機器１４がエリアＡ〜Ｆ以外のエリア（例えば、収納庫、屋上、屋根裏、庭、外壁等）に設けられている。
【００２７】
電力消費機器１０ａ〜１０ｆは照明器具であり、電力消費機器１１ａ〜１１ｃは空調機であり、電力消費機器１４は給湯器（例えば、ヒートポンプ給湯器、湯を貯留するタンク付き蓄熱型給湯器）である。なお、ここで挙げる電力消費機器１０ａ〜１０ｆ，１１ａ〜１１ｃ，１４の種類は一例であり、これら電力消費機器１０ａ〜１０ｆ，１１ａ〜１１ｃ，１４が他の種類の電力消費機器（例えば、照明器具、空調機、ＦＦ暖房、床暖房、電動開閉機器、電気錠）であってもよい。空調機である電力消費機器がエリアＤ〜Ｆに設けられてもよい。
【００２８】
電力消費機器１０ａ〜１０ｆ、電力消費機器１１ａ〜１１ｃ、電気錠１２ａ〜１２ｅ及び電力消費機器１４が通信ネットワーク３に接続されている。
電力消費機器１０ａは、通信ネットワーク３を通じてオン・オフの制御が可能なものであるとともに、そのオン・オフ状態の監視が可能なものである。電力消費機器１０ｂ〜１０ｆ，１１ａ〜１１ｃ，１４についても同様である。
【００２９】
更に、電力消費機器１４は、通信ネットワーク３を通じて各種設定が可能なものである。電力消費機器１１ｂについても同様である。電力消費機器１１ａ〜１１ｃは何れも空調機であるが、電力消費機器１１ｂが電力消費機器１１ａ，１１ｃよりも高機能である。電力消費機器１１ｂは、リモコン１１ｂ１によって遠隔操作・遠隔制御される。リモコン１１ｂ１は、表示部を有し、電力消費機器１１ｂの状態や各種設定を表示する。
【００３０】
電気錠１２ａはエリアＡの開閉建具を、電気錠１２ｂはエリアＢの開閉建具を、電気錠１２ｃはエリアＣの開閉建具を、電気錠１２ｅはエリアＥの開閉建具を施錠・解錠する。ここでいう開閉建具とは、住宅の外周壁の開口部（例えば、勝手口、玄関口、通気口、採光口）に設けられて、その開口部を開閉するもの（例えば、窓、扉）をいう。
【００３１】
電気錠１２ａは、通信ネットワーク３を介して施錠・解錠が可能なものである。電気錠１２ｂ〜１２ｅについても同様である。
【００３２】
分電盤２０には電力測定ユニット２０ａが内蔵されている。分電盤２０は、電力測定ユニット２０ａにより、電力消費機器１０ａ〜１０ｆ、電力消費機器１１ａ〜１１ｃ、電気錠１２ａ〜１２ｅ、コンセント１３ａ〜１３ｃ及び電力消費機器１４ごとにこれらの消費電力を測定する。具体的には、電力測定ユニット２０ａが複数の電力測定器を有し、これら電力測定器が電力消費機器１０ａ〜１０ｆ、電力消費機器１１ａ〜１１ｃ、電気錠１２ａ〜１２ｅ、コンセント１３ａ〜１３ｃ及び電力消費機器１４の電気配線にそれぞれ接続されている。
【００３３】
また、電力測定ユニット２０ａが太陽光発電側の電力測定器を有し、分電盤２０が太陽光発電装置３０の出力電力をこの電力測定器により測定する。また、電力測定ユニット２０ａが買電用の電力測定器を有し、分電盤２０が系統電源５０から順潮流された電力をこの電力測定器により測定する。また、電力測定ユニット２０ａが売電用の電力測定器を有し、分電盤２０が系統電源５０へ逆潮流された電力をこの電力測定器により測定する。
【００３４】
分電盤２０は、通信ネットワーク３を介して表示装置４０に接続されている。分電盤２０は、電力消費機器１０ａ〜１０ｆ、電力消費機器１１ａ〜１１ｃ、電気錠１２ａ〜１２ｅ、コンセント１３ａ〜１３ｃ及び電力消費機器１４ごとの消費電力の測定値を表示装置４０に出力する。また、分電盤２０は、太陽光発電装置３０の出力電力の測定値と、系統電源５０から順潮流された電力の測定値と、系統電源５０へ逆潮流された電力の測定値とを表示装置４０に出力する。これら測定値の転送には通信ネットワーク３が利用される。
【００３５】
この住宅には、電力消費機器の増設が可能である。図１において、電力消費機器１５ｂ、１６，１７は増設されるものである。電力消費機器１５ｂは、エリアＢに増設された照明器具である。電力消費機器１６は、電気を蓄えるとともに電気を放出する電力を放出する蓄電器である。電力消費機器１７は、蓄電池内蔵走行体（例えば、電気自動車、プラグインハイブリッド自動車）１８の蓄電池に充電する充電装置である。電力消費機器１５ｂ，１６，１７が増設された場合、これらは電力消費機器１５ｂ，１６，１７が電気配線網２に接続され、分電盤２０によってこれら電力消費機器１５ｂ，１６，１７に電力が供給されるとともに、これらの消費電力が分電盤２０によって測定される。また、電力消費機器１５ｂ，１６，１７が通信ネットワーク３に接続され、通信ネットワーク３を介して電力消費機器１５ｂ，１６，１７を遠隔操作することができる。
【００３６】
表示装置４０について説明する。図２は表示装置４０の斜視図である。図１及び図２に示すように、表示装置４０は入力部４１、表示部４２、制御部４３及び筐体４４を有する。制御部４３が筐体４４内に設けられ、表示部４２はその表示面が筐体４４の外に見えるように筐体４４に設けられ、入力部４１が表示部４２の表示面に設けられている。入力部４１はタッチパネルである。入力部４１が各種ボタンやスイッチを有する場合には、それらが筐体４４に設けられている。表示部４２は液晶ディスプレイ、有機ＥＬディスプレイその他のディスプレイである。制御部４３はＣＰＵ、記憶部（ＲＡＭ、ＲＯＭ、不揮発性メモリ、ハードディスクドライブ等）、通信ユニット、入出力インターフェース、入力部４１用の信号処理回路、表示部４２用の表示制御回路等を有するコンピューターである。制御部４３は、通信ネットワーク３を介して電力消費機器１０ａ〜１０ｆ、電力消費機器１１ａ〜１１ｃ、電気錠１２ａ〜１２ｅに接続されている。また、制御部４３は、通信ネットワーク３を介して分電盤２０（主に、電力測定ユニット２０ａ）に接続されている。また、制御部４３がルーター及び通信回線を介して外部の業者サーバー６０に接続され、その業者サーバー６０がインターネットに接続されている。また、制御部４３は、宅内ＬＡＮに接続されている。宅内ＬＡＮが通信ネットワーク３と兼用されてもよい。
【００３７】
電力消費機器１５ｂ，１６，１７の増設前、制御部４３は、制御部４３にとって実行可能なソフトウェア（プログラム）を記憶部に記憶している。電力消費機器１５ｂ，１６，１７の増設前に、そのソフトウェアは制御部４３に次のような機能を持たせる。以下、ソフトウェアに基づく制御部４３の機能について説明する。
【００３８】
＜機器別の電力監視機能＞
制御部４３は、電力消費機器１０ａの消費電力の測定値を分電盤２０から入力し、その測定値を監視する。電力消費機器１０ｂ〜１０ｆ、電力消費機器１１ａ〜１１ｃ、電気錠１２ａ〜１２ｅ、コンセント１３ａ〜１３ｃ及び電力消費機器１４の消費電力の測定値についても同様に制御部４３によって監視される。太陽光発電装置３０の出力電力、系統電源５０の順潮流電力及び系統電源５０の逆潮流電力の測定値についても同様に制御部４３によって監視される。
【００３９】
＜集計・統計機能（１）：機器別の電力量算出機能＞
制御部４３は、電力消費機器１０ａ〜１０ｆ、電力消費機器１１ａ〜１１ｃ、電気錠１２ａ〜１２ｅ、コンセント１３ａ〜１３ｃ及び電力消費機器１４毎に、これらの消費電力の測定値を時間で積分することによって、これらの消費電力量を算出して、それを記憶する。
【００４０】
具体的には、制御部４３は、毎時間、電力消費機器１０ａの消費電力の測定値を時間で１時間積分することによって、電力消費機器１０ａの毎時間の消費電力量を算出する。そして、制御部４３は、電力消費機器１０ａの毎時間の消費電力量を暦日付及び時刻（時間）と対応付けて記憶する。更に、制御部４３は、毎日、電力消費機器１０ａの消費電力の測定値を時間で１日間積分することによって、電力消費機器１０ａの毎日の消費電力量を算出する。そして、制御部４３は、電力消費機器１０ａの毎日の消費電力量を暦日付と対応付けて記憶する。更に、制御部４３は、毎月、電力消費機器１０ａの消費電力の測定値を時間で１月間積分することによって、電力消費機器１０ａの毎月の消費電力量を算出する。そして、制御部４３は、電力消費機器１０ａの毎月の消費電力量を暦月と対応付けて記憶する。更に、制御部４３は、毎年、電力消費機器１０ａの消費電力の測定値を時間で１年間積分することによって、電力消費機器１０ａの毎年の消費電力量を算出する。そして、制御部４３は、電力消費機器１０ａの毎年の消費電力量を暦年と対応付けて記憶する。なお、制御部４３によって電力量が算出される時が時間、日、月又は年の途中である場合には、時間、日、月又は年の初めからその時までの電力量が制御部４３によって算出される。
【００４１】
電力消費機器１０ｂ〜１０ｆ、電力消費機器１１ａ〜１１ｃ、電気錠１２ａ〜１２ｅ、コンセント１３ａ〜１３ｃ及び電力消費機器１４の消費電力量についても同様に制御部４３によって算出されて記憶される。太陽光発電装置３０の出力電力量、系統電源５０の順潮流電力量及び系統電源５０の逆潮流電力量についても同様に制御部４３によって算出されて記憶される。
【００４２】
＜集計・統計機能（２）：エリア別の消費電力算出機能＞
制御部４３は、エリアＡ〜Ｆごとに、電力消費機器１０ａ〜１０ｆ、電力消費機器１１ａ〜１１ｃ、電気錠１２ａ〜１２ｅ及びコンセント１３ａ〜１３ｃの消費電力の測定値の総和を算出する。
【００４３】
具体的には、エリアＡについては、制御部４３が、電力消費機器１０ａ、電力消費機器１１ａ、電気錠１２ａ及びコンセント１３ａの消費電力の測定値の総和を算出する。エリアＢ〜Ｆの消費電力の総和についても制御部４３によって同様に算出される。
【００４４】
＜集計・統計機能（３）：エリア別の消費電力量算出機能＞
制御部４３は、エリアＡ〜Ｅ毎にこれらの消費電力量を算出して、これらの消費電力量を記憶する。
【００４５】
具体的には、エリアＡについては、制御部４３が、毎時、集計・統計機能（１）において算出した電力消費機器１０ａ，１１ａ、電気錠１２ａ及びコンセント１３ａの時間毎の消費電力量の総和を算出して、その総和を暦日付及び時刻（時間）に対応付けて記憶する。更に、制御部４３が、毎日、集計・統計機能（１）において算出した電力消費機器１０ａ，１１ａ、電気錠１２ａ及びコンセント１３ａの日毎の消費電力量の総和を算出して、その総和を暦日付に対応付けて記憶する。更に、制御部４３は、毎月、集計・統計機能（１）において算出した電力消費機器１０ａ，１１ａ、電気錠１２ａ及びコンセント１３ａの月毎の消費電力量の総和を算出して、その総和を暦月に対応付けて記憶する。更に、制御部４３は、毎年、集計・統計機能（１）において算出した電力消費機器１０ａ，１１ａ、電気錠１２ａ及びコンセント１３ａの年毎の消費電力量の総和を算出して、その総和を暦年に対応付けて記憶する。制御部４３によって電力量が算出される時が時間、日、月又は年の途中である場合には、日、月又は年の初めからその時までの電力量が制御部４３によって算出される。
【００４６】
エリアＢ〜Ｆ毎の時間毎、日毎、月毎及び年毎の消費電力量についても同様に制御部４３によって算出されて記憶される。
【００４７】
＜集計・統計機能（４）：分岐回路別の消費電力算出機能＞
制御部４３は、分岐回路毎に、分電盤２０によって出力された消費電力の測定値の総和を算出する。なお、分電盤２０には複数のブレーカーが設けられており、住宅の電気配線網２がブレーカー毎の分岐回路に分かれている。
【００４８】
＜集計・統計機能（５）：分岐回路別の消費電力量算出機能＞
制御部４３は、分岐回路毎にこれらの毎時、毎日、毎月及び毎年の消費電力量を算出して、これらの消費電力量を記憶する。
【００４９】
＜集計・統計機能（６）：住宅全体の消費電力算出機能＞
制御部４３は、住宅全体の機器の総消費電力を算出する。つまり、制御部４３は、電力消費機器１０ａ〜１０ｆ、電力消費機器１１ａ〜１１ｃ、電気錠１２ａ〜１２ｅ、コンセント１３ａ〜１３ｃ及び電力消費機器１４の消費電力の測定値の総和を算出する。
【００５０】
＜集計・統計機能（７）：住宅全体の消費電力量算出機能＞
制御部４３は、住宅全体の機器の消費電力量を算出して、消費電力量を記憶する。具体的には、制御部４３が、毎時間、集計・統計機能（１）において算出した電力消費機器１０ａ〜１０ｆ、電力消費機器１１ａ〜１１ｃ、電気錠１２ａ〜１２ｅ、コンセント１３ａ〜１３ｃ及び電力消費機器１４の時間毎の消費電力量の総和を算出して、その総和を暦日付及び時刻（時間）に対応付けて記憶する。更に、制御部４３が、毎日、集計・統計機能（１）において算出した電力消費機器１０ａ〜１０ｆ、電力消費機器１１ａ〜１１ｃ、電気錠１２ａ〜１２ｅ、コンセント１３ａ〜１３ｃ及び電力消費機器１４の日毎の消費電力量の総和を算出して、その総和を暦日付に対応付けて記憶する。更に、制御部４３は、毎月、集計・統計機能（１）において算出した電力消費機器１０ａ〜１０ｆ、電力消費機器１１ａ〜１１ｃ、電気錠１２ａ〜１２ｅ、コンセント１３ａ〜１３ｃ及び電力消費機器１４の月毎の消費電力量の総和を算出して、その総和を暦月に対応付けて記憶する。更に、制御部４３は、毎年、集計・統計機能（１）において算出した電力消費機器１０ａ〜１０ｆ、電力消費機器１１ａ〜１１ｃ、電気錠１２ａ〜１２ｅ、コンセント１３ａ〜１３ｃ及び電力消費機器１４の年毎の消費電力量の総和を算出して、その総和を暦年に対応付けて記憶する。制御部４３によって電力量が算出される時が日、月又は年の途中である場合には、その日、その月又はその年の初めからその時までの電力量が制御部４３によって算出される。
【００５１】
＜集計・統計機能（８）：住宅全体の消費電力量の積算機能＞
制御部４３は、ホームマネージメントシステム１が導入されてから現在に至るまでの住宅全体の消費電力量及び太陽光発電装置３０の出力電力量を積算する。
【００５２】
＜遠隔操作・遠隔制御・遠隔監視機能＞
制御部４３は、通信ネットワーク３を通じて、電力消費機器１０ａ〜１０ｆ、電力消費機器１１ａ〜１１ｃ、電気錠１２ａ〜１２ｅ及び電力消費機器１４を遠隔操作・遠隔制御する。更に、制御部４３は、通信ネットワーク３を通じて、電力消費機器１０ａ〜１０ｆ、電力消費機器１１ａ〜１１ｃ、電気錠１２ａ〜１２ｅ及び電力消費機器１４を遠隔監視する。
【００５３】
具体的には、制御部４３は、電力消費機器１０ａ〜１０ｆ、電力消費機器１１ａ〜１１ｃ及び電力消費機器１４をオンにして作動させたり、これらをオフにして停止させたりする。また、制御部４３は、電力消費機器１０ａ〜１０ｆ、電力消費機器１１ａ〜１１ｃ及び電力消費機器１４のオン・オフ状態を監視する。制御部４３は、電気錠１２ａ〜１２ｅを施錠したり、これらを解錠したりする。また、制御部４３は、電気錠１２ａ〜１２ｅの施錠・解錠状態を監視する。
【００５４】
電力消費機器１１ｂが高機能空調機であり、制御部４３がオン・オフ制御以外の制御も電力消費機器１１ｂに対して行う。例えば、制御部４３は、電力消費機器１１ｂの設定温度を設定したり、電力消費機器１１ｂの動作モード（例えば、暖房モード、冷房モード、除湿モード、冷房除湿モード等）を設定したり、電力消費機器１１ｂの風向・風量を制御したりする。また、制御部４３は、電力消費機器１１ｂの動作状態・設定状態等を監視する。また、制御部４３は、電力消費機器１１ｂによって測定された外気温、室内温度及び室内湿度を監視する。
【００５５】
電力消費機器１４が給湯器であり、制御部４３がオン・オフ制御以外の制御も電力消費機器１４に対して行う。例えば、制御部４３は、給湯温度、浴槽温度、浴槽内湯量及びタンク内湯量を設定したり、電力消費機器１４の動作モード（例えば、自動湯張りモード、追い炊きモード、給湯モード）を設定したりする。また、制御部４３は、電力消費機器１４の動作状態・設定状態・湯水貯留量等を監視する。
【００５６】
＜グラフィカルユーザーインターフェース機能＞
制御部４３は、入力部４１及び表示部４２を用いるグラフィカルユーザーインターフェース（ＧＵＩ）を提供する。つまり、制御部４３が上述の「集計・統計機能（１）〜（８）」や「機器別の電力監視機能」による集計結果や監視結果に応じたウィンドウ、アイコン、ボタン、タブ、図、表、グラフ、テキスト、標識、模様といったオブジェクトが配置された画面を表示部４２に表示し、住人が表示部４２の表示画面を通じて制御部４３の集計結果や監視結果を認識する。そして、住人が入力部４１を用いて表示部４２の表示画面中のオブジェクトを選択し、選択結果に応じたコマンドが制御部４３に入力され、制御部４３がそのコマンドに応じた処理を行う。以下に具体的に説明するユーザーインターフェースが提供されることによって、ユーザー（住人）が表示装置４０の機能を分かりやすく且つ効率的に使用することができる。つまり、ホームマネージメントシステム１の利便性が向上する。
【００５７】
以下、表示画面及びその操作方法について説明する。
図３（ａ）は、制御部４３が表示部４２に表示したホーム画面である。図３（ａ）に示すように、数値付き図形オブジェクト１０１，１０２，１０３及びグラフオブジェクト１０４がホーム画面に配置されている。数値付き図形オブジェクト１０１は、太陽光発電装置３０の出力電力を表す。数値付き図形オブジェクト１０２は住宅全体の機器の総消費電力を表す。数値付き図形オブジェクト１０３は、系統電源５０に対して順潮流又は逆潮流であるかを表すとともに、系統電源５０からの順潮流電力又は系統電源５０への逆潮流電力を表す。グラフオブジェクト１０４は、現在の月及びその前の月の住宅全体の消費電力量（又は、系統電源５０からの順潮流電力量）を料金に換算して棒グラフで表示したものである。
【００５８】
ホーム画面には、アイコン１０５ａが配置されている。住人が入力部４１を用いてアイコン１０５ａを選択すると、制御部４３が図４（ａ）に示す第二ホーム画面を表示部４２に表示する。この第二ホーム画面には、数値付き図形オブジェクト１０７及び表オブジェクト１０６が含まれている。数値付き図形オブジェクト１０７は、太陽光発電装置３０の出力電力と、住宅全体の機器の総消費電力と、系統電源５０からの順潮流電力又は系統電源５０への逆潮流電力とを表す。表オブジェクト１０６は、現在の日の住宅全体の消費電力量と、太陽光発電装置３０の出力電力量とを表す。
【００５９】
第二ホーム画面には、アイコン１０５ｂが配置されている。住人が入力部４１を用いてアイコン１０５ｂを選択すると、制御部４３が図３（ａ）に示すホーム画面を表示部４２に表示する。
【００６０】
図３（ａ）に示すホーム画面には、アイコン１０８が配置されている。住人が入力部４１を用いてアイコン１０８を選択すると、制御部４３が図５に示す給湯器設定画面を表示部４２に表示する。給湯器設定画面には、文字数値付き図形オブジェクト１０９、アイコン１１０〜１１４が配置されている。オブジェクト１０９は、電力消費機器１４の動作モード及び状態（例えば、給湯の設定温度、浴槽の設定温度、浴槽の湯量、タンク内の湯量、動作モード）を表す。アイコン１１０，１１１は設定湯量や設定温度を増減させるものであり、住人が入力部４１を用いてアイコン１１０，１１１を選択すると、制御部４３がそれに応じて電力消費機器１４の給湯温度、浴槽温度、浴槽内湯量又はタンク内湯量を設定する。アイコン１１２は電力消費機器１４の動作モードを決定するものであり、住人が入力部４１を用いてアイコン１１２を選択すると、制御部４３がそれに応じた動作モード（例えば、自動湯張りモード、追い炊きモード、給湯モード）で電力消費機器１４を動作させる。アイコン１１３は設定画面に移行させるものであり、住人が入力部４１を用いてアイコン１１３を選択した上で更に入力部４１で各種設定を入力すると、制御部４３がその入力に応じた遠隔操作・遠隔制御を電力消費機器１４に対して行う。アイコン１１４はホーム画面に移行するためのものであり、住人が入力部４１を用いてアイコン１１４を選択すると、制御部４３が図３（ａ）に示すホーム画面を表示部４２に表示する。
【００６１】
ホーム画面には、アイコン１１５が配置されている。住人が入力部４１を用いてアイコン１１５を選択すると、制御部４３が図６に示す空調機設定画面を表示部４２に表示する。空調機設定画面には、テキストオブジェクト１１６、テキストオブジェクト１１７、アイコン１１８〜１２４、図形オブジェクト１２５及びアイコン１２６が配置されている。図６に示す画面と同一レイアウトの画面は、電力消費機器１１ｂを遠隔制御するリモコン１１ｂ１の表示部に表示される。そのため、住人がリモコン１１ｂ１と表示装置４０を直感的に同じように操作することができ、利便性が向上する。
【００６２】
テキストオブジェクト１１６は、電力消費機器１１ｂの設定温度や設定湿度を表す。テキストオブジェクト１１７は、電力消費機器１１ｂによって測定された外気温度や室内温度を表す。アイコン１１８，１１９は設定温度や設定湿度を増減させるものであり、住人が入力部４１を用いてアイコン１１８，１１９を選択すると、制御部４３がそれに応じて電力消費機器１１ｂの設定温度や設定湿度を設定する。アイコン１２０は設定風速を増減させるものであり、住人が入力部４１を用いてアイコン１２０を選択すると、制御部４３がそれに応じて電力消費機器１１ｂの設定風速を設定する。アイコン１２１は電力消費機器１１ｂの動作モードを決定するものであり、住人が入力部４１を用いてアイコン１２１を選択すると、制御部４３がそれに応じた動作モード（冷房動作モード、暖房動作モード、除湿動作モード、除湿冷房動作モード）で電力消費機器１１ｂを動作させる。アイコン１２２は電力消費機器１１ｂをオフタイマー動作させるものであり、住人が入力部４１を用いてアイコン１２２を選択すると、制御部４３が冷房、暖房、除湿又は除湿冷房の動作を電力消費機器１１ｂに行わせるとともに、所定時間経過後に電力消費機器１１ｂを停止させる。アイコン１２０は設定画面に移行させるものであり、住人が入力部４１を用いてアイコン１２０を選択した上で更に入力部４１で各種設定を入力すると、制御部４３がその設定に応じた遠隔操作・遠隔制御を電力消費機器１１ｂに対して行う。アイコン１２４は電力消費機器１１ｂをオン・オフにするものであり、住人が入力部４１を用いてアイコン１２４を選択すると、制御部４３が電力消費機器１１ｂを動作・停止させる。図形オブジェクト１２５は、電力消費機器１１ｂの設定風力を表す。アイコン１２６はホーム画面に移行させるものであり、住人が入力部４１を用いてアイコン１２６を選択すると、制御部４３が図３（ａ）に示すホーム画面を表示部４２に表示する。
【００６３】
ホーム画面には、アイコン１２７が配置されている。住人が入力部４１を用いてアイコン１２７を選択すると、制御部４３が図７に示すオンオフ状態表示画面を表示部４２に表示する。オンオフ状態表示画面には、表オブジェクト１２８、アイコン１２９〜１３１が配置されている。
【００６４】
表オブジェクト１２８は、電力消費機器１０ａ〜１０ｆ、電力消費機器１１ａ〜１１ｃごとにこれらの設置エリアを表す。表オブジェクト１２８においては、電力消費機器１０ａ〜１０ｆ、電力消費機器１１ａ〜１１ｃごとにアイコン１２９，１３０が対応付けられている。アイコン１２９が塗りつぶされていてアイコン１３０が白抜きされていれば、それらに対応する電力消費機器（電力消費機器１０ａ〜１０ｆ、電力消費機器１１ａ〜１１ｃの何れか）がオン状態であり、アイコン１３０が塗りつぶされていてアイコン１２９が白抜きされていれば、それらに対応する電力消費機器がオフ状態である。アイコン１２９はそれに対応する電力消費機器をオンにするものであり、住人が入力部４１を用いてアイコン１２９を選択すると、制御部４３がそのアイコン１２９に対応する電力消費機器をオンにする。一方、アイコン１３０はそれに対応する電力消費機器をオフにするものであり、住人が入力部４１を用いてアイコン１３０を選択すると、制御部４３がそのアイコン１３０に対応する電力消費機器をオフにする。アイコン１３１はホーム画面に移行させるものであり、住人が入力部４１を用いてアイコン１３１を選択すると、制御部４３が図３（ａ）に示すホーム画面を表示部４２に表示する。
【００６５】
ホーム画面には、アイコン１３２が配置されている。住人が入力部４１を用いてアイコン１３２を選択すると、制御部４３が図８に示すインデックス画面を表示部４２に表示する。インデックス画面には、アイコン１４１〜１４８が配置されている。住人が入力部４１を用いてアイコン１４１を選択すると、制御部４３が図９に示す監視画面を表示部４２に表示する。図９に示す監視画面には、消費電力表示オブジェクト１５１〜１５６が配置されている。消費電力表示オブジェクト１５１〜１５６はエリアＡ〜Ｆにそれぞれ対応付けられている。消費電力表示オブジェクト１５１はエリアＡの消費電力を、消費電力表示オブジェクト１５２はエリアＢの消費電力を、消費電力表示オブジェクト１５３はエリアＣの消費電力を、消費電力表示オブジェクト１５４はエリアＤの消費電力を、消費電力表示オブジェクト１５５はエリアＥの消費電力を、消費電力表示オブジェクト１５６はエリアＦの消費電力を表す。具体的には、消費電力表示オブジェクト１５１〜１５６は、それぞれの色或いは濃度で消費電力を表したり、数値で消費電力を表したりする。
【００６６】
図９に示す監視画面には、アイコン１５７〜１６０が配置されている。アイコン１５７の選択によって制御部４３が図１０に示す画面を表示部４２に表示し、アイコン１５８の選択によって制御部４３が図９に示す画面を表示部４２に表示し、アイコン１５９の選択によって制御部４３が図１１に示す画面を表示部４２に表示し、アイコン１６０の選択によって制御部４３が図１２に示す画面を表示部４２に表示する。なお、アイコン１５７〜１６０は図１０，１１，１２の画面にも表示される。
【００６７】
図１０に示す画面には、オブジェクト１６２が配置されている。オブジェクト１６２は、住宅の総消費電力に対してエリアＡ〜Ｆ別の消費電力の内訳を表す。例えば、オブジェクト１６２は、エリアＡ〜Ｆの消費電力の内訳を円グラフで表す。
【００６８】
図１１に示す画面には、オブジェクト１６３が配置されている。オブジェクト１６３は、住宅の総消費電力に対して分岐回路別の消費電力の内訳を表す。例えば、オブジェクト１６３は、分岐回路毎の消費電力を段階的棒グラフで表す。なお、分電盤２０には複数のブレーカーが設けられており、住宅の電気配線網２がブレーカー毎の分岐回路に分かれている。
【００６９】
図１２に示す画面には、オブジェクト１６４が配置されている。オブジェクト１６４は、消費電力の増加抑制・削減や省エネルギーに向けたアドバイスをテキスト・文章等で表す。ここで、制御部４３が複数のアドバイスを記憶している。そして、制御部４３は、これらアドバイスの中から、上述の「集計・統計機能（１）〜（８）」や「機器別の電力監視機能」によって得られた消費電力や消費電力量に対応するアドバイスを選択して、その選択アドバイスをオブジェクト１６４として表示する。
【００７０】
図９〜図１２に示す画面には、アイコン１６１が配置されている。アイコン１６１の選択によって制御部４３が図８に示すインデックス画面を表示部４２に表示する。
【００７１】
図８に示すインデックス画面においてアイコン１４２が選択されると、制御部４３が図１３に示す画面を表示部４２に表示する。図１３に示す画面には、オブジェクト１６５が配置されている。オブジェクト１６５は、特定の日、月又は年の住宅全体の総消費電力量、太陽光発電装置３０の出力電力量、エリアＡ〜Ｆごとの消費電力量及び電力消費機器１４の消費電力量を棒グラフ及び数値等で表す。図１３に示す画面には、アイコン１６６〜１７０が配置されている。アイコン１６８が選択されると、特定の日の住宅全体の総消費電力量、太陽光発電装置３０の出力電力量、エリアＡ〜Ｆごとの消費電力量及び電力消費機器１４の消費電力量がオブジェクト１６５として表示される。アイコン１６９が選択されると、特定の月の住宅全体の総消費電力量、太陽光発電装置３０の出力電力量、エリアＡ〜Ｆごとの消費電力量及び電力消費機器１４の消費電力量がオブジェクト１６５として表示される。アイコン１７０が選択されると、特定の年の住宅全体の総消費電力量、太陽光発電装置３０の出力電力量、エリアＡ〜Ｆごとの消費電力量及び電力消費機器１４の消費電力量がオブジェクト１６５として表示される。アイコン１６６が選択されると、オブジェクト１６５が前の日、月又は年のものに変わる。アイコン１６７が選択されると、オブジェクト１６５が次の日、月又は年のものに変わる。
【００７２】
オブジェクト１６５には、名義尺度のアイコン１６５ａ〜１６５ｇが含まれている。アイコン１６５ａ〜１６５ｇには、エリアＡ〜Ｆ及び電力消費機器１４がそれぞれ対応付けられている。アイコン１６５ａが選択されると、制御部４３が図１４に示す画面を表示部４２に表示する。図１４に示す画面には、オブジェクト１７２が配置されている。オブジェクト１７２は、現在の月（今月）、前月、前年同月及び現在の年（今年）のエリアＡの消費電力量と住宅全体の消費電力量とそれらの割合とを数値、グラフ等で表す。なお、アイコン１６５ｂ〜１６５ｇが選択された場合も、それぞれのエリアＢ〜Ｆ、電力消費機器１４の消費電力量と住宅全体の消費電力量とそれらの割合とを数値、グラフ等で表すオブジェクトを含む画面が表示部４２に表示される。
【００７３】
図１４に示す画面には、アイコン１７３が配置されている。アイコン１７３が選択されると、制御部４３が図１３に示す画面を表示部４２に表示する。図１３に示す画面には、アイコン１７１が配置されている。アイコン１７１が選択されると、制御部４３が図８に示す画面を表示部４２に表示する。
【００７４】
図８に示すインデックス画面においてアイコン１４３が選択されると、制御部４３が図１５に示す画面を表示部４２に表示する。図１５に示す画面には、オブジェクト１７４が配置されている。オブジェクト１７４は、現在の月（今月）の予測消費電力量（料金に換算）と前年同月の住宅全体の総消費電力量（料金に換算）とを折れ線グラフで表示したものである。
【００７５】
図１５に示す画面には、アイコン１７５、１７６が配置される。アイコン１７５が選択されると、制御部４３がアドバイス画面を表示部４２に表示する。そのアドバイス画面では、消費電力の増加抑制・削減や省エネルギーに向けたアドバイスがテキスト・文章等で表示される。
アイコン１７６が選択されると、制御部４３が図８に示す画面を表示部４２に表示する。
【００７６】
図８に示すインデックス画面においてアイコン１４４が選択されると、制御部４３が図１６に示す画面を表示部４２に表示する。図１６に示す画面には、オブジェクト１７７が配置されている。オブジェクト１７７は、現在の月（今月）、前月及び前年同月の住宅全体の総消費電力量及びそれから換算された料金を図形の大きさや数値で表す。
【００７７】
図１６に示す画面には、アイコン１７８、１７９が配置される。アイコン１７８が選択されると、制御部４３がアドバイス画面を表示部４２に表示する。そのアドバイス画面では、消費電力の増加抑制・削減や省エネルギーに向けたアドバイスがテキスト・文章等で表示される。
アイコン１７９が選択されると、制御部４３が図８に示す画面を表示部４２に表示する。
【００７８】
図８に示すインデックス画面においてアイコン１４５が選択されると、制御部４３が図１７に示す画面を表示部４２に表示する。図１７に示す画面には、オブジェクト１８０が配置されている。オブジェクト１８０は、１日間の毎時間の住宅全体の総消費電力量、１月間の毎日の住宅全体の消費電力量又は１年間の毎月の住宅全体の消費電力量をグラフ（折れ線グラフや棒グラフなど）で表す。更に、オブジェクト１８０は、１日間の毎時間の太陽光発電装置３０の出力電力量、１月間の毎日の太陽光発電装置の出力電力量又は１年間の毎月の太陽光発電装置の出力電力量をグラフ（折れ線グラフや棒グラフなど）で表す。
【００７９】
図１７に示す画面には、アイコン１８１〜１８７が配置されている。アイコン１８１が選択されると、１日間の毎時間の住宅全体の総消費電力及び太陽光発電装置３０の出力電力量がオブジェクト１８０として表示される。アイコン１８２が選択されると、１月間の毎日の住宅全体の総消費電力及び太陽光発電装置３０の出力電力量がオブジェクト１８０として表示される。アイコン１８３が選択されると、１年間の毎月の住宅全体の総消費電力及び太陽光発電装置３０の出力電力量がオブジェクト１８０として表示される。アイコン１８４が選択されると、オブジェクト１８０が前の日、月又は年のものに変わり、アイコン１８５が選択されると、オブジェクト１８０が次の日、月又は年のものに変わる。
アイコン１８６が選択されると、制御部４３がアドバイス画面を表示部４２に表示する。そのアドバイス画面では、消費電力の増加抑制・削減や省エネルギーに向けたアドバイスがテキスト・文章等で表示される。
アイコン１８７が選択されると、制御部４３が図８に示す画面を表示部４２に表示する。
【００８０】
図８に示すインデックス画面においてアイコン１４６が選択されると、制御部４３が図１８に示す画面を表示部４２に表示する。図１８に示す画面には、表オブジェクト１８８が配置されている。表オブジェクト１８８は、ホームマネージメントシステム１が導入されてから現在に至るまでの住宅全体の積算消費電力量及び太陽光発電装置３０の積算出力電力量を表で表す。図１８に示す画面には、アイコン１８９が配置されている。アイコン１８９が選択されると、制御部４３が図８に示す画面を表示部４２に表示する。
【００８１】
図８に示す画面においてアイコン１４７が選択されると、制御部４３が機器別画面を表示部４２に表示する。機器別画面では、電力消費機器１０ａ〜１０ｆ、電力消費機器１１ａ〜１１ｃ、電気錠１２ａ〜１２ｅ、コンセント１３ａ〜１３ｃ及び電力消費機器１４毎の消費電力、毎時間の消費電力量、毎日の消費電力量、毎月の消費電力量、毎年の消費電力量がグラフ、数値、表、図等で表されている。
【００８２】
図９〜図１８の何れの画面においても、アイコン１９０が配置されている。アイコン１９０が選択されると、制御部４３が図３（ａ）に示すホーム画面を表示する。ホーム画面（図３（ａ））及び第二ホーム画面（図４（ａ））には、外出確認アイコン１９７が配置されている。住人が外出の際に入力部４１を用いて外出確認アイコン１９７を選択すると、制御部４３が図１９に示す外出確認画面を表示部４２に表示する。
【００８３】
外出確認画面には、オブジェクト１９１〜１９４が配置されている。
オブジェクト１９１は、住宅全体の総消費電力を数値で表す。
オブジェクト１９２は、電力消費機器１１ｂによって測定された外気温及び室内湿度を数値で表す。
オブジェクト１９３は、エリアＡ〜Ｆごとの消費電力をグラフ及び数値等で表す。住人は、オブジェクト１９３を見ることによって、エリアＡ〜Ｆの中から、電源を着けっぱなしの電力消費機器があるエリアを認識することができる。よって、外出の際に、電源オンとなった電力消費機器があるエリアに行って、電力消費機器の電源をオフにしてから外出することができる。
オブジェクト１９４は、電力消費機器１０ａ〜１０ｆや電力消費機器１１ａ〜１１ｃのオン・オフ状態を表すとともに、電気錠１２ａ〜１２ｅの施錠・解錠状態を表す。住人は、外出の際にオブジェクト１９４を見さえすれば、電気錠１２ａ〜１２ｅの施錠・解錠状態を把握することができる。従って、戸締まりのし忘れを防止することができる。
【００８４】
外出確認画面には、外出アイコン１９５が配置されている。住人が入力部４１を用いて外出アイコン１９５を選択すると、制御部４３が電気錠１２ａ〜１２ｅを施錠する。更に、制御部４３は、電力消費機器１０ａ〜１０ｆ、電力消費機器１１ａ〜１１ｃ及び電力消費機器１４のうち予め設定しておいた電力消費機器の動作を停止させて、その電力消費機器をオフにする。よって、住人が外出の際に表示装置４０を操作するだけで、動作している電力消費機器を停止させることができる。
【００８５】
外出確認画面には、アイコン１９６が配置されている。アイコン１９６が選択されると、制御部４３が図３（ａ）に示すホーム画面を表示する。
【００８６】
＜宅内ＬＡＮのサーバー機能＞
制御部４３が宅内ＬＡＮのサーバーとして機能する。制御部４３は有線又は無線のＬＡＮを介して通信端末（例えば、携帯電話機、パーソナルコンピューター、ＰＤＡ、タブレット型コンピューター）と通信可能である。具体的には、通信端末が図３〜図１９のうち何れかの画面を制御部４３に要求すると、制御部４３は要求された画面（図３〜図１９の何れかの画面）と同一レイアウトの画面又はその簡略画面（例えば、図２０参照）を表示するためのデータを通信端末に送信する。そして、通信端末がそのデータを受信すると、通信端末が要求画面と同一レイアウトの画面又はその簡略画面を表示する。従って、住人が通信端末を通じて制御部４３を遠隔操作することによって、制御部４３が電力消費機器１０ａ〜１０ｆ、電力消費機器１１ａ〜１１ｃ及び電力消費機器１４をオン・オフしたり、電気錠１２ａ〜１２ｅを施錠・解錠したりする。なお、図２０に示す画面は、図７や図１９の画面を簡略したものである。
【００８７】
＜インターネット通信機能＞
通信端末（例えば、携帯電話機、パーソナルコンピューター、ＰＤＡ、タブレット型コンピューター）６１がインターネットを介して業者サーバー６０に接続されて、その通信端末６１が業者サーバー６０によって認証されると、その通信端末６１と制御部４３が業者サーバー６０及びインターネットを介して通信可能となる。具体的には、通信端末６１が図３〜図１９のうち何れかの画面を業者サーバー６０に要求すると、業者サーバー６０がその要求を制御部４３に送信し、その要求を受信した制御部４３は要求画面（図３〜図１９の何れかの画面）と同一レイアウトの画面又はその簡略画面（例えば、図２０参照）を表示するためのデータを業者サーバー６０に送信する。そのデータを受信した業者サーバー−６０はそのデータを通信端末６１に送信する。そして、通信端末６１がそのデータを受信すると、通信端末６１が要求画面と同一レイアウトの画面又はその簡略画面をそのデータによって表示する。表示装置４０の表示画面と同一レイアウトの画面又はその簡略画面が通信端末６１に表示されるから、外出中の住人が通信端末６１によって表示装置の表示画面を確認することができる。
【００８８】
そして、住人が通信端末６１を通じて制御部４３を遠隔操作することによって、制御部４３が電力消費機器１０ａ〜１０ｆ、電力消費機器１１ａ〜１１ｃ及び電力消費機器１４をオン・オフしたり、電気錠１２ａ〜１２ｅを施錠・解錠したりする。この際の通信端末６１と制御部４３の通信も業者サーバー６０を介して行われる。
【００８９】
以上のように、表示装置４０から通信端末６１へのデータ送信が業者サーバー６０を介して行われるから、表示装置４０と通信端末６１の間で直接通信するよりも安全性が高い。
【００９０】
＜アップデート機能＞
電力消費機器１５ｂ，１６，１７が増設された場合、制御部４３が通信ネットワーク３を介して電力消費機器１５ｂ，１６，１７の増設を検出する。そして、制御部４３は、アップデートが必要か否かを判別する。例えば、制御部４３がアップデートが必要か否かを問い合わせる画面を表示部４２に表示し、アップデートが必要である旨をユーザーが入力部４１によって入力した場合には制御部４３がアップデートが必要であると判別し、アップデートが不要である旨をユーザーが入力部４１によって入力した場合には制御部４３がアップデートが不要であると判別する。なお、制御部４３がアップデートの要否を判別しなくてもよい。
【００９１】
そして、電力消費機器１５ｂ，１６，１７の増設が制御部４３によって検出された場合又はアップデートが必要である旨が制御部４３によって検出された場合、制御部４３はインターネットを通じて業者サーバー６０に接続して、業者サーバー６０からアップデートソフトウェア（パッチプログラム）をダウンロードする。或いは、制御部４３は、記録媒体（半導体メモリ、磁気ディスク、光学ディスク等）に記録されたアップデートソフトウェアを読み込む。
【００９２】
そして、制御部４３は、アップデートソフトウェアに基づいて、ソフトウェアをアップデートする。アップデート後のソフトウェアによって、制御部４３には機能が追加され、制御部４３の機能が変更される。具体的には、電力消費機器１５ｂ，１６，１７が、上述した「機器別の電力監視機能」、「集計・統計機能（１）〜（８）」、「遠隔操作・遠隔制御・遠隔監視機能」によって監視・集計・遠隔操作される対象として加わる。「集計・統計機能（２）」や「集計・統計機能（３）」のエリア別の電力・電力量の算出については、電力消費機器１５ｂがエリアＢの対象としてエリアＢのグループに加わる。
【００９３】
電力消費機器１６が蓄電器であり、電力消費機器１６に充電されている場合には電力消費機器１６の消費電力が正であり、電力消費機器１６から放電されている場合には電力消費機器１６の消費電力が負である。電力消費機器１６から放電された電力は、電力消費機器１０ａ〜１０ｆ、電力消費機器１１ａ〜１１ｃ、電気錠１２ａ〜１２ｅ、コンセント１３ａ〜１３ｃ、電力消費機器１４，１５ｂ，１７及び表示装置４０に供給されたり、系統電源５０へ逆潮流されたりする。
【００９４】
アップデート後のソフトウェアによってグラフィカルユーザーインターフェースも変更される。以下、具体的に説明する。
【００９５】
図３（ｂ）は、制御部４３がアップデート後のソフトウェアに基づいて表示部４２に表示したホーム画面である。数値付き図形オブジェクト１０２が表示する住宅全体の機器の総消費電力には、電力消費機器１５ｂ，１６，１７の消費電力が加算されている。グラフオブジェクト１０４が表示する住宅全体の消費電力量には、電力消費機器１５ｂ，１６，１７の消費電力量が加算されている。
【００９６】
また、図３（ｂ）に示すホーム画面には、アイコン１９８が配置されている。アイコン１９８が選択されると、制御部４３が図２１に示す充電装置操作画面を表示部４２に表示する。充電装置操作画面には、アイコン１９９〜２０１が配置されている。アイコン１９９が選択されると、制御部４３が電力消費機器１７を作動させて、電力消費機器１７が蓄電池内蔵走行体１８の蓄電池に充電する。アイコン２００が選択されると、制御部４３が電力消費機器１７を停止させて、電力消費機器１７が充電動作を停止する。アイコン２０１が選択されると、制御部４３が予め設定された時間だけ電力消費機器１７を作動させて、電力消費機器１７が蓄電池内蔵走行体１８の蓄電池に充電し、その時間経過後に電力消費機器１７が充電動作を停止する（タイマー充電）。
【００９７】
充電装置操作画面には、オブジェクト２０２が配置されている。オブジェクト２０２は、電力消費機器１７の動作状態（充電しているか否か）、電力消費機器１７の充電動作が開始された時刻、電力消費機器１７の充電動作が終了した時刻、電力消費機器１７の充電動作開始時から現在までの消費電力量（充電電力量）、蓄電池内蔵走行体１８の蓄電池の充電量（満充電量に対する割合）、その充電量に基づく蓄電池内蔵走行体１８の走行可能距離等を数値や図形等で表す。なお、充電操作画面及び入力部４１によって電力消費機器１７や蓄電池内蔵走行体１８の各種設定を行えるようにしてもよい。
【００９８】
充電装置操作画面には、アイコン２０３が配置されている。アイコン１９８が選択されると、制御部４３が図３（ｂ）に示すホーム画面を表示部４２に表示する。
【００９９】
図３（ｂ）に示すホーム画面には、アイコン２０４が配置されている。アイコン２０４が選択されると、制御部４３が蓄電器操作画面を表示部４２に表示する。蓄電器操作画面には、電力消費機器１６の動作状態（蓄電しているか放電しているか）、蓄電電力量及び消費電力（蓄電電力、放電電力）等が表示されている。更に、蓄電器操作画面及び入力部４１によって、電力消費機器１６を遠隔操作することができる。
【０１００】
図４（ｂ）は、制御部４３がアップデート後のソフトウェアに基づいて表示部４２に表示した第二ホーム画面である。数値付き図形オブジェクト１０７にはオブジェクト２０５，２０６が追加される。オブジェクト２０５は、電力消費機器１７の動作状態（充電しているか否か）、電力消費機器１７の消費電力（充電電量）、蓄電池内蔵走行体１８の蓄電池の充電量（満充電量に対する割合）等を数値や図形で表す。オブジェクト２０６は、電力消費機器１６の動作状態（蓄電しているか放電しているか）、蓄電電力量及び消費電力（蓄電電力、放電電力）等を数値や図形等で表す。表オブジェクト１０６には、現在の日の電力消費機器１６の蓄電電力量を数値で表す項目２０７が追加される。
【０１０１】
アップデート後のオンオフ状態表示画面に配置された表オブジェクト１２８（図７参照）には、電力消費機器１５ｂ，１６，１７の項目が追加され、それら項目にオンのアイコン１２９及びオフのアイコン１３０が対応付けられる。そのため、電力消費機器１５ｂ，１６，１７の項目に対応付けられたアイコン１２９，１３０の選択によって、電力消費機器１５ｂ，１６，１７をオン・オフすることができる。
【０１０２】
アップデート後の図９に示す画面において、消費電力表示オブジェクト１５２が表すエリアＢの消費電力には、電力消費機器１５ｂの消費電力も加算されている。
アップデート後の図１０に示す画面において、オブジェクト１６２が表す内訳のうちエリアＢの消費電力には、電力消費機器１５ｂの消費電力も加算されている。
アップデート後の図１３に示す画面において、オブジェクト１６５が表すエリアＢの消費電力量には、電力消費機器１５ｂの消費電力量が加算されている。また、オブジェクト１６５の名義尺度には、電力消費機器１６，１７に対応付けられたアイコンが追加され、オブジェクト１６５が電力消費機器１６，１７の消費電力量を棒グラフ及び数値等で表す。そして、電力消費機器１６，１７に対応付けられたアイコンが選択されると、それぞれの電力消費機器１６，１７の消費電力量と住宅全体の消費電力量とそれらの割合とを数値、グラフ等で表すオブジェクトを含む画面が表示部４２に表示される（図１４参考）。
【０１０３】
アップデート後の図１５に示す画面において、オブジェクト１７４が表す現在の月（今月）の住宅全体の予測消費電力量（料金に換算）には、電力消費機器１５ｂ，１６，１７の予測消費電力量が加算されている。また、オブジェクト１７４が表す住宅全体の前年同月の住宅全体の総消費電力量には、電力消費機器１５ｂ，１６，１７の消費電力量が加算されている。
アップデート後の図１６に示す画面において、オブジェクト１７７が表す現在の月（今月）、前月及び前年同月の住宅全体の総消費電力量には、現在の月（今月）、前月及び前年同月の電力消費機器１５ｂ，１６，１７の消費電力量がそれぞれ加算されている。
アップデート後の図１７に示す画面では、オブジェクト１８０が表す住宅全体の総消費電力量には、電力消費機器１５ｂ，１６，１７の消費電力量が加算されている。
アップデート後の図１８に示す画面において、ホームマネージメントシステム１が導入されてから現在に至るまでの住宅全体の消費電力量には、電力消費機器１５ｂ，１６，１７が増設されてから現在に至るまでの電力消費機器１５ｂ，１６，１７の消費電力量が加算されている。
【０１０４】
アップデート後の図１９に示す画面において、オブジェクト１９１が表す住宅全体の総消費電力には、電力消費機器１５ｂ，１６，１７の消費電力が加算されている。オブジェクト１９３が表すエリアＢの消費電力には、電力消費機器１５ｂの消費電力が加算されている。また、オブジェクト１９４は、電力消費機器１０ａ〜１０ｆ，１１ａ〜１１ｃのオン・オフ状態や電気錠１２ａ〜１２ｅの施錠・解錠状態に加えて、電力消費機器１５ｂのオン・オフ状態も表す。また、外出アイコン１９５が選択されると、制御部４３が電力消費機器１０ａ〜１０ｆ，１１ａ〜１１ｃ，１４，１５ｂ、１６，１７のうち予め設定しておいた電力消費機器の動作を停止させるとともに、電気錠１２ａ〜１２ｅを施錠する。
【０１０５】
アップデート後の図８に示す画面においてアイコン１４７が選択されると、制御部４３が機器別画面を表示部４２に表示する。機器別画面では、電力消費機器１０ａ〜１０ｆ、電力消費機器１１ａ〜１１ｃ、電気錠１２ａ〜１２ｅ、コンセント１３ａ〜１３ｃ、電力消費機器１４及び電力消費機器１５ｂ、１６，１７毎の消費電力、毎時間の消費電力量、毎日の消費電力量、毎月の消費電力量、毎年の消費電力量がグラフ、数値、表、図等で表される。
【０１０６】
以上のように、電力消費機器１５ｂ，１６，１７が増設されても、表示装置４０のソフトウェアがアップデートされて、電力消費機器１５ｂ，１６，１７が消費電力・消費電力量の測定・集計の対象として加わる。そして、アップデート後の表示画面では、電力消費機器１５ｂ，１６，１７の消費電力や消費電力量が反映される。よって、ユーザーの利便性が向上する。
【符号の説明】
【０１０７】
１  ホームマネージメントシステム
３  通信ネットワーク
１０ａ〜１０ｆ，１１ａ〜１１ｃ，１４  電力消費機器
１５ｂ，１６，１７  増設された電力消費機器
１２ａ〜１２ｅ  電気錠
１１ｂ１  リモコン
３０  太陽光発電装置
４０  表示装置
５０  系統電源
６０  業者サーバー
６１  通信端末
１９５  外出アイコン
１９７  外出確認アイコン
Ａ〜Ｆ  エリア
【図１】
2014029290.tif 000003
【図２】
2014029290.tif 000004
【図３】
2014029290.tif 000005
【図４】
2014029290.tif 000006
【図５】
2014029290.tif 000007
【図６】
2014029290.tif 000008
【図７】
2014029290.tif 000009
【図８】
2014029290.tif 000010
【図９】
2014029290.tif 000011
【図１０】
2014029290.tif 000012
【図１１】
2014029290.tif 000013
【図１２】
2014029290.tif 000014
【図１３】
2014029290.tif 000015
【図１４】
2014029290.tif 000016
【図１５】
2014029290.tif 000017
【図１６】
2014029290.tif 000018
【図１７】
2014029290.tif 000019
【図１８】
2014029290.tif 000020
【図１９】
2014029290.tif 000021
【図２０】
2014029290.tif 000022
【図２１】
2014029290.tif 000023